(57)【要約】機能インターフェースを表示する方法及び装置。この方法は、ユーザにより入力される情報を受信するステップ（Ｓ２０１）と；前記情報の中のキーワードを判定するステップ（Ｓ２０２）と；前もって設定されたキーワードと機能インターフェースとの間の対応関係に応じて前記キーワードに対応する機能インターフェースを表示するステップ（Ｓ２０３）と；を備える。この方法により、インスタントメッセージング及びＷＥＩＢＯ等のソーシャルプラットフォームが提供するサービスを利用する場合に、ユーザは、サービスに対応する機能インターフェースを有効にするためにアプリケーションクライアント端末上で何度も操作を行う必要がない。端末は、ユーザの操作回数を効果的に減らし、操作がユーザにとってもっと便利になるように、ユーザにより入力された情報に応じて情報の中のキーワードを自動的に判定し、キーワードに対応する機能インターフェース（すなわち、サービスに対応する機能インターフェース）をユーザに表示することができる。【選択図】図２
2018533129.tif 000002
【特許請求の範囲】
【請求項１】
機能インターフェースを表示する方法であって：
ユーザにより入力された情報を受信するステップと；
前記情報の中のキーワードを判定するステップと；
前もって設定されたキーワードと機能インターフェースとの間の対応関係に応じて前記キーワードに対応する機能インターフェースを表示するステップと；を備える、
機能インターフェースを表示する方法。
【請求項２】
前記情報は、前記ユーザからのインスタントメッセージングのメッセージを含む、
請求項１に記載の方法。
【請求項３】
前記キーワードに対応する機能インターフェースを表示する前記ステップは、具体的に：
前記ユーザによる前記キーワードに対する指定の操作を受信するステップと；
前記指定の操作に応じて、前記キーワードに対応する前記機能インターフェースの表示をトリガするステップと；を備える、
請求項１に記載の方法。
【請求項４】
前記指定の操作は、クリック操作と長押し操作の少なくとも一方を含む、
請求項３に記載の方法。
【請求項５】
前記キーワードは、決済サービスに関連する前もって設定されたキーワード又は前もって設定された指定タイプの文字を含み、前記指定タイプの文字が数字タイプの文字を含む、
請求項１に記載の方法。
【請求項６】
前記キーワードが決済サービスに関連する前もって設定されたキーワードである場合に、前記方法は：
前記情報の中の数字を抽出するステップと；
前記数字を、前記機能インターフェースの指定された領域に追加するステップと；
前記機能インターフェースに追加された前記数字に応じて決済サービスデータを処理するステップと；を更に備える、
請求項５に記載の方法。
【請求項７】
前記キーワードが数字である場合に、前記方法は：
前記数字が前もって設定された閾値より大きいか否か判定するステップと；
肯定である場合に、前記ユーザによるパスワード入力を受信し、前記パスワードが認証に成功した後に前記数字に応じて決済サービスデータを処理し、否定である場合に、前記数字に応じて決済サービスデータを処理するステップと；を更に備える、
請求項５に記載の方法。 
【請求項８】
前記キーワードに対応する機能インターフェースを表示する前記ステップの前に：
前記判定されたキーワードをハイライトするステップ；又は、
前もって設定された背景色を用いて前記キーワードをマーキングするステップ；を更に備える、
請求項１に記載の方法。
【請求項９】
機能インターフェースを表示する装置であって：
ユーザにより入力された情報を受信するように構成された受信モジュールと；
前記情報の中のキーワードを判定するように構成された判定モジュールと；
前もって設定されたキーワードと機能インターフェースとの間の対応関係に応じて前記キーワードに対応する機能インターフェースを表示するように構成された表示モジュールと；を備える、
機能インターフェースを表示する装置。
【請求項１０】
前記情報は、前記ユーザからのインスタントメッセージングのメッセージを含む、
請求項９に記載の装置。
【請求項１１】
前記表示モジュールは、具体的に、前記ユーザによる前記キーワードに対する指定の操作を受信し、前記指定の操作に応じて、前記キーワードに対応する前記機能インターフェースの表示をトリガするように構成された、
請求項９に記載の装置。
【請求項１２】
前記指定の操作は、クリック操作と長押し操作の少なくとも一方を含む、
請求項１１に記載の装置。
【請求項１３】
前記キーワードは、決済サービスに関連する前もって設定されたキーワード又は前もって設定された指定タイプの文字を含み、前記指定タイプの文字は数字タイプの文字である、
請求項９に記載の装置。
【請求項１４】
前記キーワードが決済サービスに関連する前もって設定されたキーワードである場合に、前記情報の中の数字を抽出し、前記機能インターフェースの指定された領域に前記数字を追加し、前記機能インターフェースに追加された前記数字に応じて決済サービスデータを処理するように構成された第１の処理モジュールを更に備える、
請求項１３に記載の装置。
【請求項１５】
前記キーワードが数字である場合に、前記数字が前もって設定された閾値より大きいか否か判定し；肯定である場合に、前記ユーザによるパスワード入力を受信し、前記パスワードが認証に成功した後に前記数字に応じて決済サービスデータを処理し；否定である場合に、前記数字に応じて決済サービスデータを処理するように構成された第２の処理モジュールを更に備える、
請求項１３に記載の装置。
【請求項１６】
前記表示モジュールが前記キーワードに対応する機能インターフェースを表示する前に、前記判定されたキーワードをハイライトするように、又は前もって設定された背景色を用いて前記キーワードをマーキングするように構成されたマーキングモジュールを更に備える、
請求項９に記載の装置。
【発明の詳細な説明】
【技術分野】
【０００１】
本願は、２０１５年９月１５日に出願された「機能インターフェースを表示する方法及び装置」と題された中国特許出願第２０１５１０５８７４９３．８号の優先権を主張し、上記中国特許出願は参照によってその全体が本明細書に組み込まれる。
【０００２】
本願はコンピュータ技術の分野に関し、特には、機能インターフェースを表示するための方法及び装置に関する。
【背景技術】
【０００３】
絶え間ないネットワーク技術の開発にともなって、サービスプロバイダは、インスタントメッセージング及びＷＥＩＢＯ等のソーシャルプラットフォームに基づいて益々多様化するサービスをユーザに提供している。例えば、ソーシャルプラットフォームに基づく写真の共有、位置の共有などがユーザに提供されている。更に、これらのサービスは人々の生活にとって欠かせない一部となっている。
【０００４】
現在、ソーシャルプラットフォーム上でチャットや交流（インタラクション）をする際、ユーザは一般に、サービスプロバイダによって提供されるソーシャルプラットフォームに基づくサービスを利用できる。例えば、ユーザは位置共有サービスを利用する、すなわちユーザは自分の地理的位置を他のユーザと共有できる。
【０００５】
図１Ａは、従来技術による、機能設定アイコンを含む機能インターフェースの概略図である。図１Ｂは、従来技術による、機能のプルダウンメニューを含む機能インターフェースの概略図である。図１Ａ及び図１Ｂに示すように、従来技術の位置共有サービスを利用する場合、ユーザは先ず、機能インターフェース上で機能設定アイコンをクリックする必要がある（図１Ａに示すように）。端末ユーザが機能設定アイコンをクリックすることにより、機能のプルダウンメニューをポップアップさせることができる（図１Ｂに示すように）。ユーザは、機能のプルダウンメニュー中で見つけた位置共有アイコンをクリックできる。端末は、ユーザによる位置共有アイコンをクリックする操作に従い、ユーザの位置情報を別のユーザへ送信できる。
【０００６】
図１Ａ及び図１Ｂから分かることは、ソーシャルプラットフォームが提供するサービスを利用する場合に、ユーザは何度も操作を繰り返して、必要なサービスに対応するアイコンを見つけてクリックする必要がある。この操作は不便である。
【発明の概要】
【発明が解決しようとする課題】
【０００７】
本願の実施の形態は、機能インターフェースを表示する方法及び装置を提供し、従来技術において、ソーシャルプラットフォームが提供するサービスをユーザが利用する場合に操作が不便であるという課題を解決する。
【０００８】
本願の実施の形態において提供される機能インターフェースを表示する方法は：
ユーザにより入力された情報を受信するステップと；
前記情報の中のキーワードを判定するステップと；
前もって設定されたキーワードと機能インターフェースとの間の対応関係に応じて前記キーワードに対応する機能インターフェースを表示するステップと；を備える。
【０００９】
本願の実施の形態において提供される機能インターフェースを表示する装置は：
ユーザにより入力された情報を受信するように構成された受信モジュールと；
前記情報の中のキーワードを判定するように構成された判定モジュールと；
前もって設定されたキーワードと機能インターフェースとの間の対応関係に応じて前記キーワードに対応する機能インターフェースを表示するように構成された表示モジュールと；を備える。
【００１０】
本願の実施の形態は、機能インターフェースを表示するための方法及び装置を提供する。この方法において、端末は、ユーザにより入力される情報を受信し、情報に含まれるキーワードを判定し、キーワードと機能インターフェースとの間の前もって設定された対応関係に応じて、キーワードに対応する機能インターフェースを表示できる。この方法により、インスタントメッセージング及びＷＥＩＢＯ等のソーシャルプラットフォームが提供するサービスを利用する場合に、ユーザは、サービスに対応する機能インターフェースを有効にするためにアプリケーションクライアント端末上で何度も操作を行う必要がない。端末は、ユーザの操作回数を効果的に減らして操作がユーザにとってもっと便利になるように、ユーザにより入力された情報に応じてその情報に含まれるキーワードを自動的に判定し、キーワードに対応する機能インターフェース（すなわち、サービスに対応する機能インターフェース）をユーザに表示することができる。
【図面の簡単な説明】
【００１１】
ここに記載された添付の図面は、本願の更なる理解を提供し、本願の一部を形成するために用いられる。本願の例示的な実施の形態及び実施の形態の説明は、単に本願を説明するために用いられ、本願に対するいかなる不適切な限定も構成しない。添付図面においては以下の通りである。
【００１２】
【図１Ａ】図１Ａは、従来技術による、機能設定アイコンを含む機能インターフェースの概略図である。
【図１Ｂ】図１Ｂは、従来技術による、機能のプルダウンメニューを含む機能インターフェースの概略図である。
【図２】図２は、本願の実施の形態による、機能インターフェースを表示する工程を示す。
【図３】図３は、本願の実施の形態による、音楽共有機能インターフェースの概略図である。
【図４】図４は、本願の実施の形態による、決済サービスに関連するキーワードに対応する決済機能インターフェースの概略図である。
【図５】図５は、本願の実施の形態による、数字が追加された後の決済機能インターフェースの概略図である。
【図６】図６は、本願の実施の形態による、キーワードとしての数字に対応する決済機能インターフェースの概略図である。
【図７】図７は、本願の実施の形態による、キーワードとしての数字に対応する別の決済機能インターフェースの概略図である。
【図８】図８は、本願の実施の形態による、決済パスワード入力機能インターフェースの概略図である。
【図９】図９は、本願の実施の形態による、機能インターフェースを表示する装置の概略構造図である。
【発明を実施するための形態】
【００１３】
本願の目的、技術的解決策及び利点をより明らかにするために、本願の特定の実施の形態及び対応する添付図面を参照して、本願の技術的解決策を以下に明確にかつ完全に記載する。明らかに、記載された実施の形態は、本願の実施の形態のすべてではなくむしろ一部に過ぎない。本願の実施の形態に基づいて、創造的努力なしに当業者によって導出される他の全ての実施の形態は、本願の保護範囲内に入るものである。
【００１４】
図２は、本願の実施の形態による、機能インターフェースを表示する工程を示し、この工程は、具体的に以下のステップを備える。
Ｓ２０１：ユーザにより入力された情報が受信される。
本願の実施の形態において、端末は先ず、ユーザにより入力された情報を受信することができる。ここで、端末は、モバイル端末、例えば携帯電話又はタブレット、であっても、パーソナルコンピュータ（ＰＣ）などであってもよい。端末を使用する場合に、ユーザは、端末にインストールされたアプリケーションが提供するサービスを利用するのが一般的である。今ではアプリケーションが提供するサービスは益々多様化している。換言すると、アプリケーションは、ユーザに主要サービスを提供する場合、他のサービスもユーザに提供することができる。例えば、インスタントメッセージングアプリケーションは、チャットサービスをユーザに提供する一方で、決済サービスをユーザに提供することができる。したがって、ユーザは、１つのアプリケーションで多くのサービスを利用できる。そのうえ、ユーザは、一般に、端末にインストールされたアプリケーションが提供するサービスを利用する際に、情報を入力することになる。例えば、インスタントメッセージングのクライアント端末上でチャットサービスを利用するとき、ユーザは、チャット機能インターフェースにおいてインスタントメッセージングのメッセージを入力する。すなわち、端末は、具体的には、アプリケーションのクライアント端末を介して情報を受信する。したがって、本願の端末は、ユーザにより入力された情報に応じて、ユーザが使おうとしているサービスを判定し、対応する機能インターフェースを表示することができる。本願に記載する機能インターフェースは、特定の機能を実施することができるインターフェース、例えば、送金又は音楽共有などの機能を実施するインターフェースを指す。換言すると、ユーザは、機能インターフェースを用いて対応する機能を利用できる。
【００１５】
例えば、インスタントメッセージングのクライアント端末にログオンした後、ユーザＺｈａｎｇ  Ｓａｎは、インスタントメッセージングのアプリケーションが提供するチャットサービスを利用する。友人とのチャットの最中に、自分のお気に入りの音楽を友人と共有したければ、Ｚｈａｎｇ  Ｓａｎは、チャット機能インターフェースに「あなたと共有したい好い歌があります」と入力する（つまり、Ｚｈａｎｇ  Ｓａｎは、インスタントメッセージングソフトウェアの音楽共有サービスを利用する必要がある）。インスタントメッセージングのメッセージを受信すると、端末は、それに続くステップに応じてユーザの意図を判定し、対応する機能インターフェースを表示できる。
【００１６】
Ｓ２０２：情報の中のキーワードを判定する。
本願の実施の形態において、端末がユーザにより入力された情報に応じてユーザの意図を判定する場合、ユーザにより入力された情報が比較的長いことがあるため、便宜上、予めキーワードライブラリを設けることができる。そして端末は、ユーザにより入力された情報に含まれるキーワードを判定し、情報の中の判定されたキーワードに応じてユーザの意図を判定することができる。
【００１７】
キーワードは、地理的位置に関連するキーワード、例えば「位置」及び「経度と緯度」、であってもよい。これらのキーワードは、ユーザが地理的位置に関連するサービス、例えばナビゲーションや位置共有、を利用する意図があることを示す可能性がある。キーワードは、音楽に関連するキーワード、例えば「音楽」や「歌」、であってもよい。これらのキーワードは、ユーザが音楽に関連するサービス、例えば音楽共有、を利用する意図があることを示す可能性がある。キーワードは、別のタイプのキーワードであってもよい。各キーワードは、ユーザがアプリケーション機能に関連するサービスを利用する意図があることを示すことができる。同じキーワードは、同じサービスに対応する。例えば、「位置」というキーワードは、端末における位置共有サービスに対応する。異なるキーワードが、同じサービスに対応する場合もあれば、異なるサービスに対応する場合もある。例えば、「位置」及び「経度と緯度」はいずれも端末における位置共有サービスに対応するが、「音楽」は、「位置」に対応するサービスとは異なる、端末における歌共有サービスに対応する。
【００１８】
上記の例を再び使って、「歌」がキーワードとして用いられ、予めキーワードライブラリに格納されているものとする。「あなたと共有したい好い歌があります」というユーザによる入力を受信すると、端末は、インスタントメッセージングのメッセージの中のキーワードが「歌」であると判定できる。
【００１９】
Ｓ２０３：前もって設定されたキーワードと機能インターフェースとの対応関係に応じて、前記キーワードに対応する機能インターフェースを表示する。
本願の実施の形態において、機能インターフェースにサービスに関連するコンテンツを表示できる。各サービスは、１つの機能インターフェースに対応し、異なるサービスは異なる機能インターフェースに対応する。例えば、位置共有サービスは、位置共有サービスに関連するコンテンツが表示される１つの機能インターフェースに対応する一方、音楽共有サービスは、音楽共有サービスに関連するコンテンツが表示される別の機能インターフェースに対応する。
【００２０】
キーワードに応じ、判定されたキーワードに対応する機能インターフェースをユーザに表示するため、キーワードと機能インターフェースとの間の対応関係を実際の状況に応じて前もって設定してもよい。換言すると、各キーワードに対応する機能インターフェースを前もって設定できる。例えば、「位置」及び「経度と緯度」というキーワードはいずれも、位置共有機能インターフェースに対応する一方、「音楽」及び「歌」というキーワードはいずれも、音楽共有機能インターフェースに対応する。キーワードと機能インターフェースとの対応関係に応じてキーワードに対応する機能インターフェースを端末がユーザに表示した後、ユーザは、自身の実際の要求に応じてサービスを利用するか否か判断できる。肯定の場合に、ユーザは、端末によって表示される機能インターフェース上で、対応する操作を行える。否定の場合に、ユーザは閉じるボタンを直接クリックして機能インターフェースを閉じることができる。
【００２１】
上記の例を再び使い、前もって設定された「歌」というキーワードに対応する音楽共有機能インターフェースは、図３に示すようなものであるとする。「あなたと共有したい好い歌があります」の中の「歌」というキーワードを判定した後、端末は、図３に示すように音楽共有機能インターフェースをユーザＺｈａｎｇ  Ｓａｎに表示することができる。ユーザＺｈａｎｇ  Ｓａｎが音楽共有サービスを利用する必要がある場合に、彼は、図３に示すように、対応する歌を音楽共有機能インターフェースに入力し、機能インターフェースのＯＫボタン（確認ボタン）をクリックできる。次いで端末は、対応する歌を友人へ送ることができる。
【００２２】
上記方法により、インスタントメッセージングアプリケーションが提供する音楽共有サービスを利用するときに、ユーザＺｈａｎｇ  Ｓａｎは、何度も操作を行って音楽共有機能インターフェースを有効にする必要がない。端末は、「あなたと共有したい好い歌があります」という入力に応じて情報の中のキーワードが「歌」であると自動的に判定し、「歌」に対応する音楽共有機能インターフェースをユーザに表示できる。ユーザＺｈａｎｇ  Ｓａｎは、音楽共有機能インターフェース上で自身の必要に応じて、対応する操作を行うだけでよい。したがってユーザの操作の回数は効果的に減り、操作が便利になる。
【００２３】
ここで留意すべきは、実際の適用において、端末は、インストールされたアプリケーションを用いて、図１Ａに示すような機能インターフェースを表示する方法を実施できるという点である。ここで、端末にインストールされたアプリケーションは、インスタントメッセージングアプリケーションであってもよく、ユーザがインスタントメッセージングアプリケーションを使用する場合、ユーザにより入力される情報は、インスタントメッセージングのメッセージであってもよい。
【００２４】
ユーザにより入力される情報の中のキーワードを判定した後、端末は、この判定されたキーワードに応じ、キーワードに対応する機能インターフェースを自動的にユーザに表示できる。加えて、端末は更に、ユーザにより入力された情報が過剰なキーワードを含む場合に、機能インターフェースの過剰な表示を回避するため、キーワードに対するユーザによる指定の操作に応じて、キーワードに対応する機能インターフェースを表示してもよい。具体的には、ユーザにより入力される情報に含まれるキーワードの判定後にキーワードに対応する機能インターフェースを表示する場合に、端末は、ユーザによるキーワードに対する指定の操作を受信してから、指定の操作に応じて、キーワードに対応する機能インターフェースの表示をトリガしてもよい。指定の操作は、クリック操作と長押し操作の少なくとも一方を含んでもよい。当然ながら、指定の操作は、別のタイプの操作であってもよい。
【００２５】
更に、情報の中のキーワードを判定した後、ユーザが、情報の中の何がキーワードであるか明確に理解し、次いでキーワードに対して指定の操作を実行できるよう、端末は、判定されたキーワードに対して特定の処理を実行してキーワードと非キーワードを区別してもよい。具体的には、端末は、判定されたキーワードをハイライトしてもよく、前もって設定された背景色を用いてキーワードをマーキングしてもよい。
【００２６】
例えば、「払（う）」がキーワードとして用いられ、予めキーワードライブラリに格納されているものとする。ユーザＺｈａｎｇ  Ｓａｎは、インスタントメッセージングのクライアント端末にログオンし、チャット機能インターフェースにおいて友人とチャットすることができる。端末が、Ｚｈａｎｇ  Ｓａｎから友人へ送った「今朝の仕事の代金１００元をまだあなたに払っていません」というインスタントメッセージングのメッセージを受信し、インスタントメッセージングのメッセージの中のキーワードが「払」であると判定し、この「払」という単語をハイライトするものとする。単語「払」を認識した後、Ｚｈａｎｇ  Ｓａｎは、キーワード「払」を直接クリック（即ち、キーワード「払」に対して指定の操作を実行）できる。ユーザＺｈａｎｇ  Ｓａｎによる、キーワード「払」に対するクリック操作を受信すると、端末は次いで、キーワード「払（う）」に対応する決済機能インターフェースをユーザＺｈａｎｇ  Ｓａｎに表示できる。図４に、表示される決済機能インターフェースを示す。
【００２７】
本願による機能インターフェースを表示する方法を、ユーザにより入力される情報に含まれるキーワードに応じて決済機能インターフェースを表示する端末を例に、以下詳細に説明する。
【００２８】
本願の実施の形態では、決済サービスに関連するキーワードを前もって設定できる。すなわち、キーワードは、決済サービスに関連する前もって設定されたキーワードを含むことができる。ユーザが決済サービスを利用する意図がある場合、ユーザにより入力される情報は一般に、数字タイプの文字又は別の特定のタイプの文字を含む。したがって、キーワードは、前もって設定された指定されるタイプの文字（指定タイプの文字）を更に含んでもよい。指定タイプの文字は数字タイプの文字を含んでもよく、「￥」及び「＄」などの文字を更に含んでもよい。
【００２９】
ユーザにとって操作をもっと便利にするため、キーワードが、決済サービスに関連する前もって設定されたキーワード（例えば「決済」、「送金」、及び「ＡＡ」）である場合、ユーザにより入力される情報を受信し、情報が決済サービス関連キーワードを含むと判定し、そして決済機能インターフェースを表示した後、端末は更に、情報の中の数字を自動的に抽出し、抽出された数字を決済機能インターフェースに追加してもよい。具体的には、端末は、数字を決済機能インターフェースの指定された領域に追加し、次いで、決済機能インターフェースに追加された数字に応じて決済サービスデータを処理してもよい。当然ながら、数字が決済機能インターフェースに追加された後、決済サービスデータが処理される前に、ユーザに決済の確認を促すために数字が追加された決済機能インターフェースがユーザに表示されてもよい。支払金額が正しいことを確認した後、ユーザは、ＯＫボタンをクリックできる。決済機能インターフェースに表示された金額が正しくないことが判明した場合に、ユーザは手動で金額を修正し、ＯＫボタンをクリックできる。ユーザによるクリック操作を受信すると、端末は、決済機能インターフェース内の数字に応じて決済サービスデータを処理することができる。
【００３０】
例えば、「払う」、「送金」、及び「ＡＡ」がキーワードとして用いられ、予めキーワードライブラリに格納されており、この３つのキーワード全てが図４に示すような決済機能インターフェースに対応するように設定されているものとする。ユーザＺｈａｎｇ  Ｓａｎは、インスタントメッセージングのクライアント端末にログオンして友人とチャットし、チャット中に友人に１００元を払う必要があることを思い出すかもしれない。そうすると、Ｚｈａｎｇ  Ｓａｎは、チャット機能インターフェースに「今朝の食事の代金１００元をまだあなたに払っていません」と入力できる。Ｚｈａｎｇ  Ｓａｎにより入力されたメッセージを受信すると、端末は、インスタントメッセージングのメッセージの中のキーワードが「払（う）」であると判定し、インスタントメッセージングのメッセージの中の数字「１００」を抽出し、「１００」を決済機能インターフェースの支払金額入力フィールド（すなわち、指定された領域）に追加し、「１００」が追加された（図５に示すように）決済機能インターフェースをユーザであるＺｈａｎｇ  Ｓａｎに表示できる。支払金額が正しいことを確認した後、Ｚｈａｎｇ  Ｓａｎは、ＯＫボタン（決済確認ボタン）をクリックできる。すると、端末は、追加された数字「１００」に応じて決済サービスデータを処理する、すなわち、１００元をＺｈａｎｇ  Ｓａｎの口座から友人へ送金できる。
【００３１】
ここで留意すべきは、キーワードを含む情報に数字が含まれていない場合、又は、複数の数字が含まれている場合、端末は、キーワードに対応する機能インターフェースの指定された領域に数字を何も追加できないということである。ユーザは、機能インターフェースの指定された領域に手動で必要な金額を追加し、ＯＫボタンをクリックしてもよい。加えて、キーワードを含む情報に複数の数字が存在する場合、端末は、キーワードに対応する機能インターフェースの指定された領域に１つの数字をランダムに追加し、情報の中の残りの文字全てを指定された領域に対応するプルダウンメニューに追加することもできる。ユーザは、指定された領域の数字が正しくないと分かった場合に、数字をクリックできる。すると、端末は、指定された領域に対応するプルダウンメニューをユーザに表示でき、ユーザは、正しい数字を自分で選択できる。
【００３２】
加えて、キーワードが数字である場合、端末は、ユーザにより入力される情報を受信すると、情報の中の数字を判定し、図６に示すような決済機能インターフェースを表示する。ユーザが端末により提供される決済サービスを利用する必要がある場合、ユーザは先ず、数字は正しい必要な金額か否か確認する。肯定の場合に、ユーザは、決済機能インターフェースの決済ボタン（払うボタン）をクリックできる。否定の場合に、ユーザは手動で決済機能インターフェースを閉じ、正しい数字を含む新しい情報を入力できる。ユーザにより入力される情報を受信すると、端末は、図６に示すような決済機能インターフェースをユーザに表示する。ユーザは、決済機能インターフェースの決済ボタン（払うボタン）をクリックするだけでよい。当然ながら、図６に示すような決済機能インターフェースに数値修正機能ボタン（図７に示すような）が更に追加されてもよい。ユーザは、数値修正ボタンをクリックすることにより数字を修正できる。すなわち、端末は、ユーザの数値修正ボタンをクリックする操作を受信した場合に、図４に示すような機能インターフェースをユーザに表示してもよい。ユーザは正しい数字を追加し、クリックして決済を確認するだけでよい。
【００３３】
実際の適用では、端末が決済機能インターフェースを表示した後、ユーザが決済ボタンを間違えてクリックする場合があるため、閾値を前もって設定してもよい。端末は、数字を閾値と比較してから、数字に応じて決済データを処理することができる。数字が閾値を超えている場合、図８に示すようなパスワード入力機能インターフェースをユーザに表示してもよい。数字が閾値を超えていない場合、決済データを数字に応じて直接処理してもよい。したがって、ユーザによる誤操作が発生しても、損失を閾値の範囲に限ることができる。具体的には、ユーザが決済ボタンをクリックした後、端末は、数字が前もって設定された閾値よりも大きいか否か判定できる。肯定の場合、端末は、図８に示すような決済パスワード入力機能インターフェースをユーザに表示し、ユーザに決済パスワードの入力を促すことができる。すると、ユーザは、決済パスワードを入力でき、端末は、ユーザによる決済パスワード入力を受信して、それを認証できる。パスワードの認証に成功した後、端末は、数字に応じて決済データを処理できる。数字が前もって設定された閾値を超えていない場合、端末は、数字に応じて決済データを直接処理することができる。
【００３４】
上記の例を再び使い、数字が全てキーワードとして用いられ、キーワードライブラリに予め格納されているものとする。加えて、数字は図６に示すような決済機能インターフェースに対応し、前もって設定された閾値が「５０」である、と前もって設定されている。上記の例において、「今朝の食事の代金１００元をまだあなたに払っていません」というＺｈａｎｇ  Ｓａｎによる入力を受信すると、端末は、インスタントメッセージングのメッセージの中の数字が「１００」であると判定し、「１００」に対応する決済機能インターフェース（図６に示すような）をＺｈａｎｇ  Ｓａｎに表示することができる。Ｚｈａｎｇ  Ｓａｎは、数字「１００」が正しい支払金額であることを確認し、決済機能インターフェースの決済ボタン（払うボタン）をクリックする。Ｚｈａｎｇ  Ｓａｎによる決済のためのクリック操作を受信すると、端末は、「１００」が「５０」より大きいと判定し、次いで、図８に示すようなパスワード入力機能インターフェースをＺｈａｎｇ  Ｓａｎに表示して決済パスワードの入力を促すことができる。すると、Ｚｈａｎｇ  Ｓａｎは、決済パスワード１２３４５６を入力することができる。Ｚｈａｎｇ  Ｓａｎの決済パスワードを受信すると、端末は、それが正しいか否か検証する。肯定であるの場合に、端末は、「１００」に応じて決済サービスデータを処理する。すなわちＺｈａｎｇ  Ｓａｎの口座から友人へ１００元を送金できる。否定である場合に、端末は、パスワードが正しくなく、ユーザにパスワードを再度入力するように促すことができる。
【００３５】
本願の実施の形態による機能インターフェースの表示方法を上で説明した。同じ考えに基づき、本願の実施の形態は、図９に示すような機能インターフェースを表示する装置を更に提供する。
【００３６】
図９は、本願の実施の形態による、機能インターフェースを表示する装置の概略構造図である。この装置は：
ユーザにより入力される情報を受信するように構成された受信モジュール９０１と；
情報の中のキーワードを判定するように構成された判定モジュール９０２と；
キーワードと機能インターフェースとの間の前もって設定された対応関係に応じて、キーワードに対応する機能インターフェースを表示するように構成された表示モジュール９０３と；を備える。
情報は、ユーザからのインスタントメッセージングのメッセージを含む。
【００３７】
表示モジュール９０３は、具体的には、ユーザによるキーワードに対する指定の操作を受信し；指定の操作に応じて、キーワードに対応する機能インターフェースの表示をトリガする；ように構成される。
指定の操作は、クリック操作と長押し操作の少なくとも一方を含む。
キーワードは、決済サービスに関連する前もって設定されたキーワード、又は前もって設定された指定タイプの文字を含み、指定タイプの文字は数字タイプの文字である。
【００３８】
装置は：
キーワードが決済サービスに関連する前もって設定されたキーワードである場合に、情報の中の数字を抽出し、機能インターフェースの指定された領域に数字を追加し、機能インターフェースに追加された数字に応じて決済サービスデータを処理するように構成された第１の処理モジュール９０４を更に備える。
【００３９】
装置は：
キーワードが数字である場合に、数字が前もって設定された閾値より大きいか否か判定し；肯定である場合に、ユーザによるパスワード入力を受け入れ、パスワードが認証に成功した後に数字に応じて決済サービスデータを処理し；否定である場合に、数字に応じて決済サービスデータを処理するように構成された第２の処理モジュール９０５を更に備える。
【００４０】
装置は：
表示モジュール９０３がキーワードに対応する機能インターフェースを表示する前に、判定されたキーワードをハイライトする、又は前もって設定された背景色を用いてキーワードをマーキングするように構成されたマーキングモジュール９０６を更に備える。
【００４１】
典型的な構成では、コンピューティングデバイスは、１つ又は複数のプロセッサ（ＣＰＵ）、入力／出力インターフェース、ネットワークインターフェイス、及びメモリを含む。
【００４２】
メモリは、揮発性メモリ、ランダムアクセスメモリ（ＲＡＭ）及び／又は不揮発性メモリなど、例えば読み出し専用メモリ（ＲＯＭ）又はフラッシュＲＡＭを含む、コンピュータ可読媒体を含むことができる。メモリは、コンピュータ可読媒体の一例である。
【００４３】
コンピュータ可読媒体は、不揮発性及び揮発性媒体ならびに可動及び非可動媒体を含み、任意の方法又は技術によって情報記憶を実装することができる。情報は、コンピュータ可読命令、データ構造、及びプログラムモジュール又は他のデータであってもよい。コンピュータの記憶媒体は、例えば、相変化メモリ（ＰＲＡＭ）、スタティックランダムアクセスメモリ（ＳＲＡＭ）、ダイナミックランダムアクセスメモリ（ＤＲＡＭ）、他のタイプのＲＡＭ、ＲＯＭ、電気的に消去可能なプログラム可能な読み出し専用メモリ（ＥＥＰＲＯＭ）、フラッシュメモリ又は他のメモリ技術、コンパクトディスク読み取り専用メモリ（ＣＤ−ＲＯＭ）、デジタル多目的ディスク（ＤＶＤ）又は他の光学記憶装置、カセットテープ、磁気テープ／磁気ディスク記憶装置又は他の磁気記憶装置、又は任意の他の非伝送媒体を含み、コンピューティングデバイスにアクセス可能な情報を格納するために使用することができる。その中の定義によれば、コンピュータ可読媒体は、変調データ信号及び搬送波のような一時媒体を含まない。
【００４４】
用語「含む」、「備える」、又はこれらのあらゆる派生形は、非排他的な包含をカバーすることを意図し、一連の要素を含む工程、方法、商品、デバイスは、このような要素を含むだけでなく、明記されていないその他の要素をも含むか、あるいは、その工程、方法、商品、デバイスに固有な要素を更に含む点にも留意されたい。さらなる制限をせずに、表現「〜を含む（including a/an…）」によって限定される要素は、その要素を含む工程、方法、商品、デバイスに存在しているその他の同じ要素を除外するものではない。
【００４５】
当業者は、本願の実施の形態が、方法、システム、又はコンピュータプログラム製品として提供され得ることを理解すべきである。 したがって、本願は、完全なハードウェアの実施の形態、完全なソフトウェアの実施の形態、又はソフトウェアとハードウェアとを組み合わせた実施の形態として実装することができる。更に、本願は、コンピュータで使用可能なプログラムコードを含む、１つ又は複数のコンピュータで使用可能な記憶媒体（磁気ディスクメモリ、ＣＤ−ＲＯＭ、光メモリなどを含むがこれに限定されない）に実装されるコンピュータプログラム製品の形態を採ることができる。
【００４６】
上記の説明は、本願の実施の形態に過ぎず、本願を限定するものではない。当業者にとって、本願は様々な変更及び変形を有することができる。本願の精神及び原理から逸脱することなくなされた変更、均等物の置換及び改良は、すべて本願の特許請求の範囲内に含まれるべきである。
【図１Ａ】
2018533129.tif 000003
【図１Ｂ】
2018533129.tif 000004
【図２】
2018533129.tif 000005
【図３】
2018533129.tif 000006
【図４】
2018533129.tif 000007
【図５】
2018533129.tif 000008
【図６】
2018533129.tif 000009
【図７】
2018533129.tif 000010
【図８】
2018533129.tif 000011
【図９】
2018533129.tif 000012
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
ユーザにより入力された情報をコンピューティングデバイスで受信するステップと；
前記コンピューティングデバイスによって、予め定義されたキーワードのセットから前記情報の中のキーワードを判定するステップと；
特定された前記キーワードに対応する機能インターフェースを判定するステップであって、予め定義された機能インターフェースのセット内の各機能インターフェースは、前記予め定義されたキーワードのセット内の１つ又は複数のそれぞれのキーワードに対応する、判定するステップと；
前記コンピューティングデバイスによって、前記キーワードに対応する機能インターフェースを表示するステップと；を備える、
コンピュータ実装方法。
【請求項２】
前記情報は、前記ユーザからのインスタントメッセージングのメッセージを含む、
請求項１に記載の方法。
【請求項３】
前記キーワードに対応する機能インターフェースを表示する前記ステップは、具体的に：
前記ユーザによる前記キーワードに対する指定の操作を受信するステップと；
前記指定の操作に応じて、前記キーワードに対応する前記機能インターフェースの表示をトリガするステップと；を備える、
請求項１または請求項２に記載の方法。
【請求項４】
前記指定の操作は、クリック操作と長押し操作の少なくとも一方を含む、
請求項３に記載の方法。
【請求項５】
前記キーワードは、決済サービスに関連する前もって設定されたキーワード又は前もって設定された指定タイプの文字を含み、前記指定タイプの文字が数字タイプの文字を含む、
請求項１〜４のいずれかに記載の方法。
【請求項６】
前記キーワードが決済サービスに関連する前もって設定されたキーワードである場合に、前記方法は：
前記情報の中の数字を抽出するステップと；
前記数字を、前記機能インターフェースの指定された領域に追加するステップと；
前記機能インターフェースに追加された前記数字に応じて決済サービスデータを処理するステップと；を更に備える、
請求項５に記載の方法。
【請求項７】
前記キーワードが数字である場合に、前記方法は：
前記数字が前もって設定された閾値より大きいか否か判定するステップと；
肯定である場合に、前記ユーザによるパスワード入力を受信し、前記パスワードが認証に成功した後に前記数字に応じて決済サービスデータを処理し、否定である場合に、前記数字に応じて決済サービスデータを処理するステップと；を更に備える、
請求項５に記載の方法。 
【請求項８】
前記キーワードに対応する機能インターフェースを表示する前記ステップの前に、前記方法は：
前記判定されたキーワードをハイライトするステップ；又は、
前もって設定された背景色を用いて前記キーワードをマーキングするステップ；を更に備える、
請求項１〜７のいずれかに記載の方法。
【請求項９】
前記機能インターフェースは、特定の機能を実施するインターフェースを備える、
請求項１〜８のいずれかに記載の方法。
【請求項１０】
前記特定の機能は、ファイル転送又は決済サービスである、
請求項９に記載の方法。
【請求項１１】
ユーザにより入力された情報を受信する前記ステップは、前記コンピューティングデバイスにインストールされたアプリケーションによって提供されるサービスを介して、ユーザにより入力された情報を受信するステップを備える、
請求項１に記載の方法。
【請求項１２】
前記表示された機能インターフェースを介して、ユーザの入力を受信するステップを更に備える、
請求項１〜１１のいずれかに記載の方法。
【請求項１３】
機能インターフェースを表示する装置であって、
請求項１〜１２のいずれかに記載の方法を実施するように構成された、複数のモジュールを備える、
装置。
【手続補正２】
【補正対象書類名】明細書
【補正対象項目名】００４６
【補正方法】変更
【補正の内容】
【００４６】
上記の説明は、本願の実施の形態に過ぎず、本願を限定するものではない。当業者にとって、本出願は様々な変更及び変形を有することができる。本願の精神及び原理から逸脱することなくなされた変更、均等物の置換及び改良は、すべて本願の特許請求の範囲内に含まれるべきである。
［第１の局面］
機能インターフェースを表示する方法であって：
ユーザにより入力された情報を受信するステップと；
前記情報の中のキーワードを判定するステップと；
前もって設定されたキーワードと機能インターフェースとの間の対応関係に応じて前記キーワードに対応する機能インターフェースを表示するステップと；を備える、
機能インターフェースを表示する方法。
［第２の局面］
前記情報は、前記ユーザからのインスタントメッセージングのメッセージを含む、
第１の局面に記載の方法。
［第３の局面］
前記キーワードに対応する機能インターフェースを表示する前記ステップは、具体的に：
前記ユーザによる前記キーワードに対する指定の操作を受信するステップと；
前記指定の操作に応じて、前記キーワードに対応する前記機能インターフェースの表示をトリガするステップと；を備える、
第１の局面に記載の方法。
［第４の局面］
前記指定の操作は、クリック操作と長押し操作の少なくとも一方を含む、
第３の局面に記載の方法。
［第５の局面］
前記キーワードは、決済サービスに関連する前もって設定されたキーワード又は前もって設定された指定タイプの文字を含み、前記指定タイプの文字が数字タイプの文字を含む、
第１の局面に記載の方法。
［第６の局面］
前記キーワードが決済サービスに関連する前もって設定されたキーワードである場合に、前記方法は：
前記情報の中の数字を抽出するステップと；
前記数字を、前記機能インターフェースの指定された領域に追加するステップと；
前記機能インターフェースに追加された前記数字に応じて決済サービスデータを処理するステップと；を更に備える、
第５の局面に記載の方法。
［第７の局面］
前記キーワードが数字である場合に、前記方法は：
前記数字が前もって設定された閾値より大きいか否か判定するステップと；
肯定である場合に、前記ユーザによるパスワード入力を受信し、前記パスワードが認証に成功した後に前記数字に応じて決済サービスデータを処理し、否定である場合に、前記数字に応じて決済サービスデータを処理するステップと；を更に備える、
第５の局面に記載の方法。 
［第８の局面］
前記キーワードに対応する機能インターフェースを表示する前記ステップの前に：
前記判定されたキーワードをハイライトするステップ；又は、
前もって設定された背景色を用いて前記キーワードをマーキングするステップ；を更に備える、
第１の局面に記載の方法。
［第９の局面］
機能インターフェースを表示する装置であって：
ユーザにより入力された情報を受信するように構成された受信モジュールと；
前記情報の中のキーワードを判定するように構成された判定モジュールと；
前もって設定されたキーワードと機能インターフェースとの間の対応関係に応じて前記キーワードに対応する機能インターフェースを表示するように構成された表示モジュールと；を備える、
機能インターフェースを表示する装置。
［第１０の局面］
前記情報は、前記ユーザからのインスタントメッセージングのメッセージを含む、
第９の局面に記載の装置。
［第１１の局面］
前記表示モジュールは、具体的に、前記ユーザによる前記キーワードに対する指定の操作を受信し、前記指定の操作に応じて、前記キーワードに対応する前記機能インターフェースの表示をトリガするように構成された、
第９の局面に記載の装置。
［第１２の局面］
前記指定の操作は、クリック操作と長押し操作の少なくとも一方を含む、
第１１の局面に記載の装置。
［第１３の局面］
前記キーワードは、決済サービスに関連する前もって設定されたキーワード又は前もって設定された指定タイプの文字を含み、前記指定タイプの文字は数字タイプの文字である、
第９の局面に記載の装置。
［第１４の局面］
前記キーワードが決済サービスに関連する前もって設定されたキーワードである場合に、前記情報の中の数字を抽出し、前記機能インターフェースの指定された領域に前記数字を追加し、前記機能インターフェースに追加された前記数字に応じて決済サービスデータを処理するように構成された第１の処理モジュールを更に備える、
第１３の局面に記載の装置。
［第１５の局面］
前記キーワードが数字である場合に、前記数字が前もって設定された閾値より大きいか否か判定し；肯定である場合に、前記ユーザによるパスワード入力を受信し、前記パスワードが認証に成功した後に前記数字に応じて決済サービスデータを処理し；否定である場合に、前記数字に応じて決済サービスデータを処理するように構成された第２の処理モジュールを更に備える、
第１３の局面に記載の装置。
［第１６の局面］
前記表示モジュールが前記キーワードに対応する機能インターフェースを表示する前に、前記判定されたキーワードをハイライトするように、又は前もって設定された背景色を用いて前記キーワードをマーキングするように構成されたマーキングモジュールを更に備える、
第９の局面に記載の装置。
【国際調査報告】
2018533129.tif 000013
2018533129.tif 000014
2018533129.tif 000015
2018533129.tif 000016